(57)【要約】【課題】  この発明は、通信ターミナル等電気機器入出力端子として使用される端子台に関するもので、特に多数本の導電線により、外部の電気・電子機器と接続される場合に好適な、分離型端子台に関する。【解決手段】  導電線端末を個々に固定する端子ネジを１個あるいは複数個備える端子台が、少なくとも電気機器の本体に固定するソケット部と、該ソケット部に着脱容易に嵌合されるネジ端子部、から成ることを特徴とする分離型端子台。【選択図】図２
2008103360.tif 000002
【特許請求の範囲】
【請求項１】
導電線端末を個々に固定する端子ネジを１個あるいは複数個備える端子台が、少なくとも電気機器の本体に固定するソケット部と該ソケット部に着脱容易に嵌合されるネジ端子部から成ることを特徴とする分離型端子台。
【請求項２】
ネジ端子部は、導電線端末と接触し、かつ該ネジ端子部下方に突出するリ−ド片を備え、一方ソケット部は、嵌合時に該リード片と相対する位置に、電気機器の本体に導通可能な導電性接触片を備え、ネジ端子部とソケット部の嵌合時にリード片と導電性接触片が接合することを特徴とする請求項１記載の分離型端子台。
【請求項３】
ネジ端子部は、端子金具側ハウジングに端子ネジ側ハウジングが付設された構造を有し、端子ネジ側ハウジングは、長辺側側面に１個あるいは複数個の導電線端末挿入口、上面に端子ネジ操作口、端子ネジを支える座金と一体に設けられた座金ガイド部を該端子ネジの軸方向に平行に案内する座金案内部を備えて、端子ネジと、該端子ネジを支える座金を収容し、端子金具側ハウジングは、端子ネジに螺合する螺合部とリード片を有する端子金具を支持する、基部から上方に突出する支持部と、該基部から下方に突出する互いに平行な少なくとも二つの挿入部を備えて、支持部上に上記端子金具を、上記リ−ド片が上記挿入部間に固定されるよう配設してなり、一方、ソケット部は、上記端子金具側ハウジングの挿入部と接合する少なくとも二つの受容部を備えたハウジングと、該受容部材間に固定された、電気機器の本体に導通可能な受栓端子からなることを特徴とする請求項２記載の分離型端子台。
【請求項４】
ネジ端子部の側面部に少なくとも１組のレバ−部材を備え、該レバ−部材がソケット部側面部に設けた鉤状部と篏合して、ネジ端子部がソケット部に着脱容易に固定されることを特徴とする請求項１乃至３のいずれか一項に記載の分離型端子台。
【請求項５】
端子ネジ側ハウジングは、端子ネジの軸方向と平行に形成された復帰用コイルバネ収容スペ−スを備え、該スペ−スに収容された復帰用コイルバネの一部が、端子ネジを支承する座金と一体に設けられたバネ押圧部により押圧されていることを特徴とする請求項４記載の分離型端子台。
【発明の詳細な説明】
【技術分野】
【０００１】
この発明は、通信ターミナル等電気機器の入出力端子として使用される端子台に関するもので、特に多数本の導電線により、外部の電気・電子機器と接続される場合に好適な分離型端子台に関する。
【背景技術】
【０００２】
従来、多数本の導電線により外部機器と接続される端子台２は、図１に示すように機器本体１の背面に固定的に設置され、接続する導電線は多数本の端子ネジ３により、個々に固定されている。（例えば、特許文献１参照。）
そのような使用状況では、機器本体は背面に張りめぐらされた多数本の導電線により、言わばその場所に拘束された形となっており、通常の使用条件下では全く支障はないが、何らかの事情により、設定場所の変更が必要になった場合、或いは点検、補修、修理等で、機器の配置変更や移動の必要が生じた場合には、接続した導電線を本体機器から切り離し、軽装化してから処置しなければならないが、そのためには多数本の導電線全てについて、その端末を固定している端子台の端子ネジを、１本ずつ緩めて外さねばならず、その結果非常に大きな労力、時間のロスになっていた。しかも再連結時に結線順序を誤る恐れもあり、その処置・管理は、作業者にとって大きな負担となっていた。
【特許文献１】特開平９−１８０７９０号公報
【発明の開示】
【発明が解決しようとする課題】
【０００３】
本発明の目的は、接続された多数本の導電線で拘束された電気機器本体から、接続導電線を一斉にワンタッチで分離でき、今後ますます増大し煩雑化する接続された導電線の着脱作業を迅速・確実化し、作業コストを大幅に軽減する分離型端子台の提供である。
【課題を解決するための手段】
【０００４】
上記課題を解決するため、本発明は、下記の構成を有するものである。
（１）導電線端末を個々に固定する端子ネジを１個あるいは複数個備える端子台が、少なくとも電気機器の本体に固定するソケット部と該ソケット部に着脱容易に嵌合されるネジ端子部から成ることを特徴とする分離型端子台。
（２）ネジ端子部は、導電線端末と接触し、かつ該ネジ端子部下方に突出するリ−ド片を備え、一方ソケット部は、嵌合時に該リード片と相対する位置に、電気機器の本体に導通可能な導電性接触片を備え、ネジ端子部とソケット部の嵌合時にリード片と導電性接触片が接合することを特徴とする（１）記載の分離型端子台。
（３）ネジ端子部は、端子金具側ハウジングに端子ネジ側ハウジングが付設された構造を有し、端子ネジ側ハウジングは、長辺側側面に１個あるいは複数個の導電線端末挿入口、上面に端子ネジ操作口、端子ネジを支える座金と一体に設けられた座金ガイド部を該端子ネジの軸方向に平行に案内する座金案内部を備えて、端子ネジと、該端子ネジを支える座金を収容し、端子金具側ハウジングは、端子ネジに螺合する螺合部とリード片を有する端子金具を支持する、基部から上方に突出する支持部と、該基部から下方に突出する互いに平行な少なくとも二つの挿入部を備えて、支持部上に上記端子金具を、上記リ−ド片が上記挿入部間に固定されるよう配設してなり、一方、ソケット部は、上記端子金具側ハウジングの挿入部と接合する少なくとも二つの受容部を備えたハウジングと、該受容部材間に固定された、電気機器の本体に導通可能な受栓端子からなることを特徴とする（２）記載の分離型端子台。
（４）ネジ端子部の側面部に少なくとも１組のレバ−部材を備え、該レバ−部材がソケット部側面部に設けた鉤状部と嵌合して、ネジ端子部がソケット部に着脱容易に固定されることを特徴とする（１）〜（３）のいずれか一項に記載の分離型端子台。
（５）  端子ネジ側ハウジングは、端子ネジの軸方向と平行に形成された復帰用コイルバネ収容スペ−スを備え、該スペ−スに収容された復帰用コイルバネの一部が、端子ネジを支承する座金と一体に設けられたバネ押圧部により押圧されていることを特徴とする（４）記載の分離型端子台。
【発明の効果】
【０００５】
本発明によれば、次の諸効果が得られる。
（１）機器本体に結合された端子台を、ネジ端子部とソケット部の分割可能な構造にすることにより、本体を移動するような場合、接続された多数本の導電線を個々の結合点の全てを外すことなく、一度にワンタッチで分離することができ、取り外し工数を大幅に軽減することができ、導電線の再接続の必要がないため、結合ミスもなくなる。分離した部分に現れる結合端子は、絶縁性部材で遮蔽され、機械的にも保護されているので、露出による感電事故の心配も、また取り扱いミスその他による機械的な損傷事故に対しても安全に保護されている。
（２）ネジ端子部の下方に突出する挿入部は、ネジ端子部を、ソケット部に挿入する場合の先導部材としても機能し、ソケット部ハウジングに設けられた受容部面を摺動しつつ、リ−ド片を導電性接触片に接合させるため、両者の接合位置のずれによる導通不良や、無理な接合による損傷の発生もない。
（３）ネジ端子部から下方に突出する挿入部とソケット部ハウジングから上方に突出する受容部、およびリ−ド片と導電性接触片が接合することにより、両ブロックの嵌合は確保され、安定な導通機能が保持される。
（４）ネジ端子部に設けられたレバ−部材によりネジ端子部がソケット部に確実に結合し、長期に渡る振動、その他不慮の突発的な外力に対しても、十二分な安定性が確保され、端子台としての機能が維持される。
（５）圧着端子結合前には、端子ネジは復帰用コイルバネによって、端子ネジ側ハウジング上部の復帰位置に保持され、端子ネジ先端部の空隙に圧着端子を容易に挿入ることができ、逆に圧着端子を取り外す際には、端子ネジを緩めると、復帰用コイルバネの復元力によって、自動的に復帰位置に戻り、略定位置に定姿勢で保持されるので、次の圧着端子固定作業に素早く入れて効率的であるばかりでなく、端子ネジを落として電気配線を短絡させたり、紛失したり、小さな端子ネジを探したりするロスが省け、能率向上に寄与する。
【発明を実施するための最良の形態】
【０００６】
以下、この発明の実施の形態を、図面に従って説明する。
本発明の分離型端子台は、同一構造の端子ユニットを複数個長手方向に配列して構成しているので、以下の説明はその１ユニットについて行うことにする。図２に本発明の分離型端子台４の１ユニットの全体構造を、図示しない接続する導電線の末端に取り付けた、圧着端子５を挿入した状態で、側断面図として示すが、上部約２／３を占めるネジ端子部４Ａと、残りの下部約１／３を占めるソケット部４Ｂから成る。ネジ端子部４Ａは、圧着端子５を固定する端子ネジ６を備えた端子ネジ側ハウジング７と、端子ネジ６と螺合する螺合部１０Ａを形成した端子金具１０を備えた端子金具側ハウジング８の二つからなる構造をもち、ソケット部４Ｂは、機器本体内の配線網に接続された、導電性受栓端子１１をもったソケット部ハウジング９によって構成され、各ハウジングとも電気絶縁性のプラスチックで成形され、周囲から絶縁されている。端子金具側ハウジング８の基部８Ａから下方に突出する、端子金具１０の基台部１０Ｂに垂設されたリ−ド片１０Ｃの先端部１０Ｄを受栓端子１１に形成された対向する接触子１１Ａ間に挿入することにより、圧着端子５と受栓端子１１とが導通状態になる。
【０００７】
ソケット部４Ｂは、図示しない機器本体に固定されており、ネジ端子部４Ａの側面を手指で掴んで上方へ引き上げれば、端子台４のネジ端子部４Ａをソケット部４Ｂから分離できる。こうして機器本体を、接続された導電線２５の拘束から開放すれば、機器本体の移動その他の取り扱いが非常に容易となり、しかも、ハウジングの分離面に現れる導電性のリ−ド片１０Ｃと接触子１１Ａは、それぞれのハウジングに形成された各二つの挿入部８Ｂ、８Ｃと受容部９Ｂ、９Ｃによって、遮蔽するように覆われているために、表面に露出せず、感電の危険は完全に回避されている。従ってここに挙げた分離型端子台では、能率向上と共に安全性にも優れた特徴を発揮する。ここで、圧着端子５は、端子台４とは別個の部材であるが、端子台の構造を説明する都合上、ここでは端子台構成部材の一部に含めて扱うことにする。
【０００８】
ネジ端子部４Ａを構成するハウジングは、図２に示すように、端子ネジ側ハウジング７と端子金具側ハウジング８とで構成され、別個の成形部材として製作されるが、実施例で詳細に説明するように、組み立てて使用する。端子ネジ側ハウジング７の一方の側面部７Ｄには、導電線２５端末に固定された圧着端子５を挿入するための導電栓端末挿入口３０が、本体機能に必要な接続個数、側面部７Ｄに沿って設けられる。しかし開口個数に特に制限はなく、将来の機器機能の拡張を見込んで、若干数のスペアユニットを設定しておいてもよい。言うまでもなく圧着端子挿入口３０の間には、圧着端子５の短絡を防ぐための絶縁部材として、端子ネジ側ハウジングの側面部材７Ｄによる仕切りを設けるのが好ましい。
【０００９】
端子ネジ側ハウジング７の上面部７Ｂには、圧着端子５を端子金具１０の基台部１０Ｂに圧接固定するために、端子ネジ６をドライバーにて回転操作するための操作口１４が設けられている。ネジ軸線上の下方対向面には、端子ネジ６と螺合するネジ山をもった螺合部１０Ａが、端子金具側ハウジング８の支持部上面に設けられ、螺合部１０Ａを形成した基台部１０Ｂを下側から支承する。圧着端子５には端子ネジ６が貫通可能な孔５Ａが設けられており、端子ネジがドライバーで押圧されてまわされると端子ネジ６は、圧着端子５の孔５Ａを貫通するとともに螺合部１０Ａと螺合し、圧着端子５と端子金具１０を導通状態に保持する。
【００１０】
座金１６には、ワッシャ１５を介して該座金１６の略正方形の座金部１６Ｄに、端子ネジ６が自由であるが抜けないように設けられており、また座金１６には図３に示すように、断面略長方形状の座金ア−ム１６Ｃが設けられ、座金ア−ム１６Ｃの先端両翼にはそれぞれ、座金ガイド部１６Ａとバネ押圧部１６Ｂが一体に形成されている。ア−ム部を含む座金１６は、端子ネジ操作口１４より大きく、ア−ム部の片翼側先端の座金ガイド部１６Ａが、端子ネジ軸方向と平行に摺動変位させる座金案内溝７Ａに拘束されているため、端子ネジ６を緩めた場合でも、端子ネジ６は端子ネジ操作口１４から脱落することはない。座金ガイド部１６Ａは、矩形形状をしており、端子ネジの昇降に従って座金案内溝７Ａに沿って上下移動するが、端子ネジ６と略同じ長さをもつているため、端子ネジ６と端子金具の螺合部１０Ａの固定を妨げるようなことはない。端子ネジ６が螺合部１０Ａに螺合された固定状態にある時は、端子ネジの頂部が上部端子ブロック上面部７Ｂから深く沈み、端子ネジ操作口１４は指先に比べて十分に小さいため感電の恐れは全くなく、上面部７Ｂは端子ネジのストッパを兼ねたフィンガ−プロテクタ−の機能を備えている。なお座金部１６Ｄの形状を略正方形にしたことにより、丸型の圧着端子やＹ字型の圧着端子のみならず、端末が裸導電線の状態でも確実な固定が可能でる。
【００１１】
座金ア−ム部１６Ｂのもう一方の翼側先端のバネ押圧部１６Ｂは、図３に示すように復帰用コイルバネ案内ロッド３１が、端子ネジ側ハウジングの上面部７Ｂ下面から下方に向けて、端子ネジの軸方向と平行に、円筒形状の復帰用コイルバネ挿入孔７Ｃの略中心を貫いて、端子金具側ハウジングの基部８Ａ上面まで伸びている。復帰用コイルバネ２７は、復帰用コイルバネ案内ロッド３１を中心にして挿入孔７Ｃ内に、軽く圧縮された状態で収容され、バネ下端部は端子金具側ハウジングの基部８Ａ上面に、バネ上端部はバネ押圧部１６Ｂ下面と接し、常に座金１６を介して端子ネジ６を端子ネジ側ハウジング上面部７Ｂの下面に圧着するように作用する。このような端子ネジが上面部７Ｂ下面に圧着された状態では、端子ネジ先端と端子金具１０上面との間に生じる間隙を利用して、圧着端子５の交換を行うことができるよう、使用される圧着端子の装着に必要な距離を保ことが必要であり、復帰用コイルバネの上昇位置への復帰作用は、この装着作業を軽便化する非常に有効な手段であり、図３に示したような座金ガイド部とバネ押圧部を並列に設ける構造は、座金ガイド部の長さを、端子ネジの長さ程度に短くすることができ、、全体の奥行き長さを大きくとる必要がなく、省スペ−ス化に有効である。
【００１２】
端子ネジ側ハウジングの端子ネジ操作口１４に頂部が出ている端子ネジ６を、ドライバ等の適当な工具により、上から押しつけるようにして下降させると、座金ガイド部１６Ａとバネ押圧部１６Ｂもそれにつれて下降し、復帰用コイルバネ２７を初期の軽い圧縮状態から更に圧縮し、端子ネジ６を螺合部１０Ａに締めつけると、圧着端子５は座金部１６Ｄと端子金具１０の間に挟持、固定され、コイルバネの圧縮量は最大レベルに達し、この状態で本発明の分離型端子台４は、正常に端子台としての接続機能を発揮する。もし何らかの理由により、接続端子を外したり、交換するような必要が生じた場合には、端子ネジ６を緩めて螺合部材１０Ａから離すと、直ちに最大レベルにまで圧縮されていた復帰用コイルバネ２７の復元力が働いて、端子ネジを図２に示す復帰位置にまで上昇させ、端子ネジ６の先端と端子金具１０上面との間に圧着端子交換に十分な間隙が自動的に設けられる。そのため、圧着端子５の取り外し、挿入が簡単に行えるばかりでなく、端子ネジが常に略定位置に、略定姿勢で滞在するため、端子ネジを落としたり、探したり、扱い易い姿勢に直す必要もなく、そのまま直ちに再び降下、固定操作を極めて容易に効率的に行えるというメリットが得られる。
【００１３】
端子金具側ハウジング８の基部８Ａから、上方に突出する二つの支持部８Ｄ、８Ｅは、その先端で端子金具１０に形成された螺合部材１０を、端子ネジ６の軸芯に合わせて固定する。螺合部１０は、端子金具とではなく端子金具側ハウジング８と一体成形で作成してもよく、また、材質選定の自由度、加工の容易さ等から別体として作成し、端子金具側ハウジング８に接着、融着その他の任意の方法で固定してもよい。
端子金具側ハウジングの基部８Ａから、上方に伸びる二つの支持部８Ｄ、８Ｅの先端には螺合部１０Ａを、端子ネジの軸芯に合わせて固定する。端子金具１０の基台部１０Ｂに垂設されたリ−ド片１０Ｃの先端部１０Ｄは、端子金具側ハウジングの基部８Ａから下方に突出し、ソケット部ハウジング９に設けられた受栓端子１１の対向する接触片１１Ａと係合して、端子台としての機能を発揮する。本発明の分離型端子台の特徴ある機能は、ネジ端子部とソケット部の容易な着脱によって発揮されるから、端子金具１０は受栓端子１１との脱着の際に受ける、引っ張り、圧縮、曲げ等多様の荷重が、繰り返し印加されるのに耐え得るよう堅牢にする必要がある関係で、端子金具の形状を図２に示すコ字型に屈曲した形状とし、端子金具側ハウジングの支持部８Ｄ、８Ｅとの接触面積を大きくとることが好ましい。端子金具側ハウジング８の基部８Ａから下方に突出した端子金具のリ−ド片先端部１０Ｄを、ソケット部から分離した場合の感電の危険や、取扱いの不備等によって生じる可能性のある衝撃、その他の傷害から保護するために、リ−ド片の先端部１０Ｄを挟んで二つの挿入部８Ｂ、８Ｃを、リ−ド片の先端部１０Ｄより高くなるよう設けてある。ここで重要なことは、これら挿入部８Ｂ、８Ｃの高さを、リ−ド片先端部１２Ａより高くすることで、保護遮蔽効果を確実にする。これらの挿入部材は、ネジ端子部とソケット部を結合する際の先導部材としても機能し、リ−ド片先端を確実に受栓端子１１の二枚の接触子１１Ａ間に誘導する。
【００１４】
ソケット部ハウジング９の基部９Ａから突出する二つの受容部９Ｂ、９Ｃは、その間隙に受栓端子１１の接触子１１Ａ導電性接触片１１をもち、接触片による感電事故の防止と接触片の機械的損傷に対する保護機能を果たす。従って、受容部９Ｂ、９Ｃの高さは、接触子１１Ａのそれより高いことが好ましく、この関係は、上述した挿入部８Ｂ、８Ｃのリ−ド片先端部１２Ａに対するものと、全く同様である。接触子１１Ａは、導電性の良好な弾性回復に富む一枚の平板状の金属材料を、折り重ねるように中心部で湾曲させ、図２に示すように、先端部分が互いに外側に開いた対称形状に形成したもので、その先端部分は受容部９Ｂ、９Ｃの面上の凹部に入りこんでいて、挿入されたリ−ド片先端部１０Ｄを、相互に接触している対向面間に、確実に挟持する構造になっている。接触子１１Ａの下部はリード片１１Ｂを介して本体各部位に連結され、ソケット部ハウジング９は、電気機器本体ケース２６により、機器本体背部にネジ止め、接着その他任意の手段で固定される。
【００１５】
図２、３の端子装置の組み立て順序を示す。
エンジニアリング・プラスチックの中でも、特に機械的強度・靱性が高く、耐電圧・電気絶縁性等の電気特性に優れた材料、例えばポリカ−ボネ−ト（ＰＣ）、ノリル樹脂（変性ＰＰＯ）、ポリブチレンテレフタレ−ト（ＰＢＴ）等により、それぞれ一体成形により作成された端子ネジ側ハウジング７、端子金具側ハウジング８、ソケット部ハウジング９の３個の成形品に、孔開け、切削等の機械加工を施した後、まず端子金具側ハウジング８に別途、端子金具１０を固定する。端子金具１０の固定は、屈曲した三つの面を端子金具側ハウジングの支持部８Ｄ、８Ｅの上面及び側面、、及び基部の貫通孔内面のいずれの部分にも、満遍なくしっかり固定するよう注意深く行う。
【００１６】
次に、ソケット部ハウジング９の二つの受容部９Ｂ、９Ｃに挟まれた間隙に、上方から黄銅製の接触子１１Ａを挿入し、その中央部を底面下方から挿入した受栓端子のリード片１１Ｂと共に、基部９Ａにネジ固定する。またソケット部ハウジング９の側面部９Ｄの外側で機器本体ケース２６とネジ止め、接着等の任意の手段で固定する。固定部材２１の材質はプラスチック、金属等が用いられる。
【００１７】
更に端子ネジ側ハウジング７に構成要素を取り付けるため、まず初めに端子ネジ側ハウジング７の基部方向から、ワッシャ１５がセットされた端子ネジ６を、座金１６の座金部１６Ｄに回動自在であるが抜けないように組み込む。次に座金ガイド部１６Ａを、端子ネジ側ハウジング７に設けられた座金案内溝７Ａに沿って端子ネジ側ハウジング内に挿入し、端子ネジの頂部が端子ネジ操作口位置に来るよう配設して、端子ネジを端子ネジ側ハウジング内に装填し、次に復帰用コイルバネ２７を、端子ネジ側ハウジング７内の、復帰用コイルバネ案内ロッド３１の周囲に形成されている収納スペ−スに挿入する。復帰用コイルバネ２７の末端を軽く押し込みながら、端子金具１０を固定した端子金具側ハウジング８を、端子ネジ側ハウジング７の基部方向から圧着し、固定する。
【００１８】
結合された２個のハウジング７、８を、挿入部材８Ｂ、８Ｃをソケット部ハウジング９の受容部材９Ｂ、９Ｃの外側面に沿わせるよう圧入し、端子金具のリ−ド片先端部１０Ｄと接触子１１Ａを係合させることにより、ネジ端子部とソケット部を嵌合させて組み立てを完了する。
【００１９】
使用に当たっては、機器本体ケース２６の背面にネジ止め等任意の手段で固定し、端子ネジ側ハウジング７の側面に設けられた圧着端子挿入口から導電線に接続された圧着端子５を挿入し、各端子ごとに端子ネジ６で固定する。端子ネジ６の頂部は、復帰コイルバネ２７によって軽く、端子ネジ操作口１４に押しつけられているので、これをドライバで押し込み、圧着端子５の孔５Ａを貫通して、端子金具の螺合部１０Ａに螺合させて圧着端子５を締めつけ、圧着端子５と受栓端子１１を導通状態にする。
【００２０】
本発明の分離型端子台では、ネジ端子部とソケット部の嵌合は、ハウジング同士の嵌め合いと、導通部材の接合によって行われ、十分な固定効果を有するが、固定効果をより確実にするために、端子ブロックにソケット部を把持・固定する結合用レバ−部材を設けるのが好ましい。図５に示すように端子ネジ側ハウジング７の長手方向の両端等、ネジ端子部に側面部に、少なくとも一対の結合用レバ−部材を設ける。結合用レバ−部材は、通常一般に使用される構造のものでよく、例えばシャフト２４で回転自由に固定された、先端にフック部３２をもったレバ−２３を設け、ネジ端子部をソケット部に挿入する時は、レバ−２３の先端がソケット部ハウジング９の側面に沿って移動し、レバ−の対向部位に設けたソケット部の鉤状部３３と嵌合しする構造が挙げられる。このような構造を設けることにより、使用中外れることは無く、安定した固定機能を発揮する。端子ブロックをソケット部から外す時は、レバ−２３の上部を軽く押して、レバ−先端のフック部３２をソケット部の鉤状部３３から外せば、容易にネジ端子部７をソケット部９から取り外すことができる。
【図面の簡単な説明】
【００２１】
【図１】従来例の端子台の正面図である。
【図２】本発明の実施例の一つである分離型端子台の端子ユニット部分拡大断面図である。
【図３】図２の分離型端子台の端子ネジを支える座金とその周辺部の構造を示す図である。
【図４】本発明の別の実施例の一つである端子台の結合用レバ−部材により固定された様子を示す図である。
【符号の説明】
【００２２】
１  電気機器本体
２  従来例の端子台
３  従来例の端子台に付設された端子ネジ
４  本発明の分離型端子台
４Ａ  ネジ端子部
４Ｂ  ソケット部
５  圧着端子
５Ａ  孔
６  端子ネジ
７  端子ネジ部側ハウジング
７Ａ  座金案内溝
７Ｂ  端子ネジ部側ハウジングの上面部
７Ｃ  復帰用コイルバネ挿入孔
７Ｄ  導電線端末挿入口
８  端子金具側ハウジング
８Ａ  端子金具側ハウジングの基部
８Ｂ  端子金具側ハウジングの挿入部
８Ｃ  端子金具側ハウジングの挿入部
８Ｄ  端子金具側ハウジングの支持部
８Ｅ  端子金具側ハウジングの支持部
９  ソケット部ハウジング
９Ａ  ソケット部ハウジングの基部
９Ｂ  ソケット部ハウジングの受容部
９Ｃ  ソケット部ハウジングの受容部
９Ｄ  ソケット部ハウジングの側面部
１０  端子金具
１０Ａ  端子金具の螺合部
１０Ｂ  端子金具の基台部
１０Ｃ  端子金具のリード片
１０Ｄ  リード片の先端部
１１  受栓端子
１１Ａ  接触子
１１Ｂ  受栓端子のリード片
１４  操作口
１５  ワッシャ
１６  座金
１６Ａ  座金ガイド部
１６Ｂ  バネ押圧部
１６Ｃ  座金アーム部
１６Ｄ  座金部
２１  ソケット部固定部材
２２  導通部
２３  結合用レバ−部材
２４  結合用レバ−のシャフト
２５  導線
２６  電気機器本体ケース
２７  端子ネジ復帰用コイルバネ
３１  案内ロッド
３２  結合用レバ−先端のフック部
３３  フックと係合する鉤状部
【図１】
2008103360.tif 000003
【図２】
2008103360.tif 000004
【図３】
2008103360.tif 000005
【図４】
2008103360.tif 000006